(57)【要約】  【課題】  ＧＲＡＭへの書き込みと表示リードとの間に幾度競合が生じても、それを解消することのできる表示装置の駆動回路等を得る。  【解決手段】  外部からの表示用データが書き込まれる、複数のＲＡＭセルを有するＧＲＡＭ１１と、ＧＲＡＭ１１から前記表示用データを読み出す表示リード回路１２と、画像表示を行う際に、同一の前記ＲＡＭセルに対して前記表示用データ読み出し手段の読み出しが前記表示用データの書き込みが行われる競合が生じた場合、表示リード回路１２の読み出し開始を所定の時間遅延させた後に前記読み出し開始を行わせる調停動作を繰り返し行う比較回路１３および競合制御回路１４とを備え、比較回路１３および競合制御回路１４は、前記調停動作を、前記ＧＲＡＭ内における少なくとも１水平ライン分の前記書き込みが完了するまで実行する表示装置の駆動回路。【選択図】図１ 
2005031594.tif 000002
【特許請求の範囲】
【請求項１】
外部からの表示用データが書き込まれる、複数のＲＡＭセルを有するＧＲＡＭと、
前記ＧＲＡＭから前記表示用データを読み出す表示用データ読み出し手段と、
画像表示を行う際に、同一の前記ＲＡＭセルに対して前記表示用データ読み出し手段の読み出しと前記表示用データの書き込みが行われる競合が生じた場合、前記表示用データ読み出し手段の読み出し開始を所定の時間遅延させた後に前記読み出し開始を行わせる調停動作を繰り返し行う競合調停手段とを備え、
前記競合調停手段は、前記調停動作を、前記ＧＲＡＭ内における少なくとも１水平ライン分の前記書き込みが完了するまで実行する表示装置の駆動回路。
【請求項２】
前記ＧＲＡＭへの前記表示用データの書き込みは所定の複数フレームに１回の割合で行われ、
前記表示用データ読み出し手段の読み出しは毎フレーム行われる請求項１の表示装置の駆動回路。
【請求項３】
前記ＧＲＡＭへの前記表示用データの書き込みの周期と、前記表示用データ読み出し手段の読み出しの周期の間には、前記１水平ライン内に８回以上競合が発生する関係がある請求項１に記載の表示装置の駆動回路。
【請求項４】
請求項１から３のいずれかに記載の表示装置の駆動回路と、
前記駆動回路から読み出された前記表示用データを表示する表示手段とを少なくとも備えた表示装置。
【請求項５】
外部からの表示用データが書き込まれる、複数のＲＡＭセルを有するＧＲＡＭから前記表示用データを読み出す表示用データ読み出し工程と、
画像表示を行う際に、同一の前記ＲＡＭセルに対して前記表示用データ読み出し工程による読み出しと前記表示用データの書き込みとが行われる競合が生じた場合、前記表示用データ読み出し工程の読み出し開始を所定の時間遅延させた後に前記読み出し開始を行わせる調停動作を繰り返し行う競合調停工程とを備え、
前記競合調停工程は、前記調停動作を、前記ＧＲＡＭ内における少なくとも１水平ライン分の前記書き込みが完了するまで実行する表示装置の駆動方法。
【請求項６】
請求項１に記載の表示装置の駆動回路の、画像表示を行う際に、同一の前記ＲＡＭセルに対して前記表示用データ読み出し手段の読み出しと前記表示用データの書き込みが行われる競合が生じた場合、前記表示用データ読み出し手段の読み出し開始を所定の時間遅延させた後に前記読み出し開始を行わせる調停動作を繰り返し行う競合調停手段としてコンピュータを機能させるためのプログラム。
【請求項７】
請求項６に記載のプログラムを担持した記録媒体であって、コンピュータにより処理可能な記録媒体。
【発明の詳細な説明】
【技術分野】
【０００１】
本発明は、例えばデジタルカメラ、携帯情報端末等の情報、映像表示用のディスプレイとして有用である表示装置の駆動装置等に関するものである。
【背景技術】
【０００２】
近年、ディスプレイ分野では、ＴＶ、パソコンなどの大型ディスプレイ、デジタルカメラ、携帯電話、ＰＤＡなどの小型ディスプレイといった、幅広いサイズの液晶表示装置が様々な機器に搭載されている。この液晶表示装置の駆動について述べる。
【０００３】
従来の液晶表示装置では、液晶表示装置の外部より液晶表示用データをＧＲＡＭに書き込み、その後ＧＲＡＭ内の液晶表示用データを読み出し、液晶表示パネルにデータを転送する事で液晶表示を行うことができる。
【０００４】
このとき、ＧＲＡＭに用いることのできるＲＡＭの構成の種類には、ＧＲＡＭへの液晶表示用データ書き込みと表示リードに使用するポートを共通として、ＧＲＡＭへの液晶表示用データ書き込みと表示リードを交互に行うシングルポートＲＡＭと、ＧＲＡＭへの液晶表示用データ書き込みと表示リードに使用するポートが独立しており、ＧＲＡＭへの液晶表示用データ書き込みと表示リードを同時に行うことが可能なデュアルポートＲＡＭの２種類がある。
【０００５】
ここで、ＧＲＡＭとしてシングルポートＲＡＭを用いた場合の液晶表示用データ書き込みと表示リードの関係を図３、デュアルポートＲＡＭを用いた場合の液晶表示用データ書き込みと表示リードの関係を図４に示す。
【０００６】
図３と図４とを比較して分かるように、液晶表示装置での高速描画、すなわち表示用データの書き込み、読み出しを高速で実現する際には、液晶表示用データ書き込みを追従するように表示リードが平行して行なわれるデュアルポートＲＡＭを用いた場合の書き込み−読み出し期間Ｔ１は、液晶表示用データ書き込みと表示リードのいずれか一方の動作しかしか行えないシングルポートＲＡＭを用いた場合の読み出し期間Ｔ２よりも短くなり、より有利である。
【０００７】
しかしながら、デュアルポートＲＡＭには以下のような欠点も存在している。
【０００８】
１フレーム期間におけるＧＲＡＭへの書き込みサイクルは、外部からのデータ書き込み信号の周波数から決定され、同１フレーム期間における表示リードのサイクルは液晶表示装置内で作られるフレーム周波数そのものであるが、液晶表示装置が外部からのデータ書き込み信号の周波数に対して非同期で動画表示を行う場合、すなわちＧＲＡＭへの書き込みサイクルとＧＲＡＭからの表示リードサイクルとが異なる時、同一ＲＡＭセルに対してＧＲＡＭへの書き込みと表示リードが同時に起こる可能性がある。
【０００９】
この現象は競合と呼ばれ、競合が発生すると、そのＲＡＭセルに書き込まれているデータは異常なものとなり、表示リードを行った際にノイズとして液晶表示されてしまう。
【００１０】
さらに、図５に示すように、競合発生前、ｎ番目の水平ラインのＧＲＡＭ書き込みおよび表示リードにおいて、表示リード開始時刻Ｔ１以降しばらくは水平ラインではＧＲＡＭへの書き込みが表示リードより先に行われている為に、表示リード時にはＧＲＡＭデータ更新後の正常な液晶表示が行われているが、ＧＲＡＭへの１ライン書き込み時間よりも表示リード期間１Ｈのほうが短いため、図中黒丸で示す競合時刻Ｔ２より後の水平ラインでは表示リードがＧＲＡＭへの書き込みより先に行われるようになる。ＧＲＡＭは過去の表示データが外部からの新たなデータ書き込み信号により上書きされることで更新されるため、ＧＲＡＭのデータが更新される前に表示データが読み出されると、更新前のデータが表示されることとなり、画面全体の表示においては、競合の発生した箇所より前の水平ラインでは現在のフレームである、正常なデータ更新後の表示用データが表示され、競合発生箇所より後の水平ラインでは前フレームの液晶表示用データがそのまま表示されてしまう。
【００１１】
上記のような不具合を防ぐため、現在、ＧＲＡＭへの書き込みと表示リードの競合が発生した時には、表示リードを行わずに表示リードのタイミングを遅らせる、すなわち競合発生から一定時間経過後に競合発生ラインの再リードをする駆動を行っている。このような駆動を競合調停駆動と呼ぶ（例えば、特許文献１を参照）。
【００１２】
ここで、図６に、従来の競合調停駆動を行う駆動回路のブロック図を示す。図６において、ＧＲＡＭ３１は、外部から書き込まれた液晶表示用データを格納する手段である。表示リード回路３２は、ＧＲＡＭ３１に格納されている液晶表示用データを読み出す手段である。比較回路３３は、ＧＲＡＭへの書き込みと表示リードのタイミングを比較し、同一ＲＡＭセルでの競合発生時に競合発生回路３４にて競合調停の制御を実行させる手段である。競合制御回路３４は、ＧＲＡＭへの書き込みと表示リードの同一ＲＡＭセルでの競合発生時に競合調停の制御を行う手段である。ラインラッチ回路３５は、液晶表示パネル内の複数列のソースライン３６へ転送するＧＲＡＭ３１より表示リード回路３２によって読み出された液晶表示用データを一時的に記憶する手段である。
【００１３】
このような従来の競合調停駆動を行う駆動回路の動作について説明を行う。
【００１４】
ＧＲＡＭ３１へ書き込まれる液晶表示用データが外部より入力され、それと同時に競合制御回路３４にも同様に液晶表示用データが入力される。その後、表示リード回路３２にてＧＲＡＭ３１から液晶表示用データが読み出され、ラインラッチ回路３５へデータが送られる。
【００１５】
一方、比較回路３３にて競合制御回路３４に入力されたＧＲＡＭ書き込みと表示リード回路に入力されている表示リードのタイミングの比較が行われ、競合が発生した場合に、表示リードを行うタイミングを遅らせ、一定の遅延時間経過後に表示リード回路３２に再度液晶表示データ読み出しを実行させるよう命令する。このとき一定の遅延時間とは、フレーム周波数の変化を最小限に止めることと競合の調停の両立に基づき定められ、数値の例としては発振クロックの９クロック分が挙げられる。
【００１６】
液晶表示用データが入力されてきたラインラッチ回路３５から、液晶表示パネル内の複数列のソースライン３６にデータを転送することで、液晶表示が行われる。
【００１７】
この駆動回路においては、競合発生時に競合制御回路３４にて表示リード開始のタイミングを遅延させることにより、競合の起こったＲＡＭセルを含むＧＲＡＭへの書き込みが終了するまで表示リードを行わない動作となり、競合の起こったＲＡＭセルを含むＧＲＡＭ３１のデータが書き込みにより更新された後に競合発生ラインの表示リードを行い、正常な表示を行うことができる。
【００１８】
また、競合調停を行った後に同一ラインで再び競合が起こっても、再度競合調停を行い、表示リードのタイミングを遅らせて競合発生ラインの再リードを行うことにより、１フレーム間でＧＲＡＭ３１のデータが全て更新された正常な表示が可能となっている。
【００１９】
ここで図７に、図６の競合調停駆動を行う駆動回路により調停が行われた場合のＧＲＡＭへの表示用データ書き込みと表示リードの関係を示す。図５の場合と同様、ＧＲＡＭへの１ライン書き込み時間よりも表示リード期間１Ｈのほうが短いため、図７に示すｎ番目の水平ラインに対するＧＲＡＭ書き込み時に、表示リードは時刻Ｔ１から行われるが、ＧＲＡＭへの書き込みと表示リードが同一ＲＡＭセルで競合すると（競合は、図中黒丸で示すＧＲＡＭ書き込みを示す直線と表示リードを示す直線との交点にて表される）、その競合発生時刻Ｔ２から、競合制御回路３２内で設定されている遅延時間ｔだけ表示リード開始のタイミングを遅延させる。本実施形態では例として発振クロックの９クロック分を遅延時間ｔとする。
【００２０】
表示リード開始のタイミングを９クロック延長した後の時刻Ｔ３に、競合が発生した水平ラインにおける表示リードを再開する。同ラインでは次に時刻Ｔ４にて競合が発生するので、同様に表示リードの開始タイミングを再び遅延時間ｔだけ遅延させた後、時刻Ｔ５に再駆動を行う。図においてはｎ番目の水平ラインの表示リードを行うために、競合調停駆動は２回行われている。さらに、ｎ＋１番目の水平ラインの書き込み時に初めて生ずる競合の発生時刻Ｔ６までに、ｎ番目の水平ラインに書き込まれたデータは全て表示リードされ、ｎ＋１番目の水平ラインに書き込まれたデータが一部読み出された状態になっている。
【特許文献１】特開２００１−１１０３５５号公報
【発明の開示】
【発明が解決しようとする課題】
【００２１】
しかしながら、ＴＶやパソコンにおける液晶ディスプレイにおけるＧＲＡＭへの書き込み周波数は６０Ｈｚと高く、１ラインにおけるＧＲＡＭの書き込みにおいては、一回の調停において有効な遅延時間を取った場合、繰り返し実行できる調停駆動の回数は限られる。図７に示す例ではＧＲＡＭ書き込み直後に調停を行ったとしても３回程度、一般に最大７回程度と、回数が必ず制限されることとなり、これが比較回路３３の比較回数の制限として設定されていた。
【００２２】
ところで、近年、携帯電話やＰＤＡに静止画像や動画像を撮像するためのカメラが搭載されるようになり、携帯電話やＰＤＡの液晶画面がこのカメラに撮像されたデータをモニタする役割を果たすようになってきている。
【００２３】
このようなモニタ用のディスプレイにおいては、ＧＲＡＭへの書き込み周波数はＴＶ等に比して低くなっており、フレーム間の書き込み期間は大きくなっている。
【００２４】
このとき、１ライン内において、調停駆動の可能な回数を超えて競合が生じた場合、それ以上調停を行うことができなくなり、表示画面に不具合が生じるという課題があった。
【００２５】
本発明は上記の課題に鑑みてなされたものであり、ＧＲＡＭへの書き込みと表示リードとの間に幾度競合が生じても、それを解消することのできる表示装置の駆動回路等を提供することを目的とする。
【課題を解決するための手段】
【００２６】
上記の目的を達成するために、第１の本発明は、外部からの表示用データが書き込まれる、複数のＲＡＭセルを有するＧＲＡＭと、
前記ＧＲＡＭから前記表示用データを読み出す表示用データ読み出し手段と、
画像表示を行う際に、同一の前記ＲＡＭセルに対して前記表示用データ読み出し手段の読み出しと前記表示用データの書き込みが行われる競合が生じた場合、前記表示用データ読み出し手段の読み出し開始を所定の時間遅延させた後に前記読み出し開始を行わせる調停動作を繰り返し行う競合調停手段とを備え、
前記競合調停手段は、前記調停動作を、前記ＧＲＡＭ内における少なくとも１水平ライン分の前記書き込みが完了するまで実行する表示装置の駆動回路である。
【００２７】
また、第２の本発明は、前記ＧＲＡＭへの前記表示用データの書き込みは所定の複数フレームに１回の割合で行われ、
前記表示用データ読み出し手段の読み出しは毎フレーム行われる第１の本発明の表示装置の駆動回路である。
【００２８】
また、第３の本発明は、前記ＧＲＡＭへの前記表示用データの書き込みの周期と、前記表示用データ読み出し手段の読み出しの周期の間には、前記１水平ライン内に８回以上競合が発生する関係がある第３の本発明の表示装置の駆動回路である。
【００２９】
また、第４の本発明は、第１から第３のいずれかの本発明の表示装置の駆動回路と、
前記駆動回路から読み出された前記表示用データを表示する表示手段とを少なくとも備えた表示装置である。
【００３０】
また、第５の本発明は、外部からの表示用データが書き込まれる、複数のＲＡＭセルを有するＧＲＡＭから前記表示用データを読み出す表示用データ読み出し工程と、
画像表示を行う際に、同一の前記ＲＡＭセルに対して前記表示用データ読み出し工程による読み出しと前記表示用データの書き込みとが行われる競合が生じた場合、前記表示用データ読み出し工程の読み出し開始を所定の時間遅延させた後に前記読み出し開始を行わせる調停動作を繰り返し行う競合調停工程とを備え、
前記競合調停工程は、前記調停動作を、前記ＧＲＡＭ内における少なくとも１水平ライン分の前記書き込みが完了するまで実行する表示装置の駆動方法である。
【００３１】
また、第６の本発明は、第１の本発明の表示装置の駆動回路の、画像表示を行う際に、同一の前記ＲＡＭセルに対して前記表示用データ読み出し手段の読み出しと前記表示用データの書き込みが行われる競合が生じた場合、前記表示用データ読み出し手段の読み出し開始を所定の時間遅延させた後に前記読み出し開始を行わせる調停動作を繰り返し行う競合調停手段としてコンピュータを機能させるためのプログラムである。
【００３２】
また、第７の本発明は、第６の本発明のプログラムを担持した記録媒体であって、コンピュータにより処理可能な記録媒体である。
【発明の効果】
【００３３】
本発明によれば、確実にＧＲＡＭ更新後の正常なデータの液晶表示ができるという長所を有する。
【発明を実施するための最良の形態】
【００３４】
以下に、本発明の実施の形態について、図面を参照しつつ説明を行う。
【００３５】
（実施の形態）
本発明の実施の形態における競合調停駆動を行う駆動回路の構成図である図１を主として参照しながら、本実施の形態の液晶表示装置の構成について説明する。
【００３６】
図１において、ＧＲＡＭ１１は、ＧＲＡＭ３１と同様、外部から書き込まれた液晶表示用データを格納する手段である。表示リード回路１２は、表示リード回路３２と同様、ＧＲＡＭ３１に格納されている液晶表示用データを読み出す手段である。比較回路１３は、ＧＲＡＭ１１への書き込みと表示リードのタイミングを比較し、同一ＲＡＭセルでの競合発生時に競合発生回路３４にて競合調停の制御を実行させる手段である。競合制御回路１４は、競合制御回路３４と同様、ＧＲＡＭ１１への書き込みと表示リードの同一ＲＡＭセルでの競合発生時に競合調停の制御を行う手段である。ラインラッチ回路１５は、ラインラッチ回路３５と同様、液晶表示パネル内の複数列のソースラインへ転送するＧＲＡＭ３１より表示リード回路１２によって読み出された液晶表示用データを一時的に記憶する手段である。
【００３７】
本実施の形態においては、比較回路１３によるＧＲＡＭへの書き込みと表示リードのタイミングの比較回数を無制限とし、１ライン内における調停動作を、原理的に無限回数実行可能にした点が、従来例と異なる。なお、上記の構成において、ＧＲＡＭ１１は本発明のＧＲＡＭに相当し、表示リード回路１２は、表示用データ読み出し手段に相当し、比較回路１３および競合制御回路１４は、本発明の競合調停手段に相当し、これらが本発明の駆動回路を構成する。
【００３８】
以下、上記のような構成を有する本発明の実施の形態における競合調停駆動を行う駆動回路の動作を説明すると共に、これにより、本発明の駆動方法の一実施の形態について説明を行う。
【００３９】
ＧＲＡＭ１１へ書き込まれる液晶表示用データが外部より入力され、それと同時に競合制御回路１４にも同様に液晶表示用データが入力される。その後、表示リード回路１２にてＧＲＡＭ１１から液晶表示用データが読み出され、ラインラッチ回路１５へデータが送られる。一方、比較回路１３にて、競合制御回路１４に入力されたＧＲＡＭ書き込みと表示リード回路に入力されている表示リードのタイミングの比較が行われ、競合が発生した場合に、表示リードを行うタイミングを遅らせ、一定の遅延時間経過後に表示リード回路１２に再度液晶表示データ読み出しを実行させるよう命令する。
【００４０】
液晶表示用データが入力されてきたラインラッチ回路１５から、液晶表示パネル内の複数列のソースライン１６にデータを転送することで、液晶表示が行われる。
【００４１】
次に、本発明の実施の形態における、競合調停による表示リードの再駆動の説明図である図２を主として参照しながら、表示リードタイミング制御の詳細な説明を行う。
【００４２】
図５，図７の場合と同様、ＧＲＡＭへの１ライン書き込み時間よりも表示リード期間１Ｈのほうが短いため、図２に示すｎ番目の水平ラインに対するＧＲＡＭ書き込み時に、ＧＲＡＭへの書き込みと表示リードが同一ＲＡＭセルで競合すると（競合は、図中黒丸で示すＧＲＡＭ書き込みを示す直線と表示リードを示す直線との交点にて表される）、その競合発生時刻Ｔ２から、競合制御回路１４内で設定されている遅延時間ｔだけ表示リード開始のタイミングを遅延させる。本実施形態では例として発振クロックの９クロック分を遅延時間ｔとする。
【００４３】
表示リード開始のタイミングを９クロック延長した後の時刻Ｔ３に、競合が発生した水平ラインにおける表示リードを再開する。そのときに同ラインで再び競合が発生した場合、同様に表示リードの開始タイミングを遅延させた後再駆動を行う。以下、競合が生ずる毎に同様の動作を繰り返し、ｎ番目のライン分のＧＲＡＭへの書き込みが終了するまで、競合が起こる毎に競合調停駆動を行う。図においては競合調停駆動は６回行われ、時刻Ｔ４において最後の調停が終了している。
【００４４】
さらに、ｎ＋１番目の水平ラインの書き込み時に初めて生ずる競合の発生時刻Ｔ５までに、ｎ番目の水平ラインに書き込まれたデータは全て表示リードされ、ｎ＋１番目の水平ラインに書き込まれたデータが一部読み出された状態になっている。
【００４５】
以上の動作により、ＧＲＡＭ書き込みフレームでは、データ異常のノイズやＧＲＡＭの更新前と更新後のデータの混在表示が発生することなく、正常な液晶表示が行われる。
【００４６】
上記の動作において、比較回路１３でのＧＲＡＭ書き込みと表示リードの比較回数には制限が無く、１ライン内において無限回数の実行が可能である。これは以下の理由による。すなわち、従来の駆動回路においては、ＴＶやパソコンの動画像表示を念頭において設計されていたため、ＧＲＡＭ書き込みの周波数が高く、１フレーム間の時間が短いために、上記のように一回の遅延時間を９クロックとした場合、調停回数は最大でも７回程度しかとることができず、これが調停回数の上限とされていた。
【００４７】
ところが携帯電話やＰＤＡ等のディスプレイにおいては、ＧＲＡＭ書き込みの周波数がＴＶ等の場合より低くなるため、１フレーム間のＧＲＡＭへの書き込みの時間が長くなる。これに着目した本発明者は、比較回路１３の比較回数を原則的に無制限として、ＧＲＡＭの書き込み完了まで何度でも調停を行えるような制御を行ってもよいことを見いだした。
【００４８】
これにより、１ライン内でいくら競合が生じても、ＧＲＡＭの書き込み完了まで調停を繰り返して、競合に起因するデータ表示の不具合を解消することができる。図中では６回であるが、これは説明のためであり、ＧＲＡＭ書き込み周波数が低い場合は、競合および調停の回数は、これより多くなる。従来の７回より多くなっていいことは言うまでもない。なお、調停は１水平ラインの書き込みが完了するまで無制限に繰り返してもよいとしたが、ＧＲＡＭへの書き込み、表示リードの周期が複数ライン、フレーム単位である場合は、その周期内でＧＲＡＭの書き込みが完了するまでの間に調停を無制限に行わせるようにすればよい。
【００４９】
さらに、本実施の形態においては、ＧＲＡＭ書き込みフレームに続く数フレームは、ＧＲＡＭ書き込みを行なわず、同一の表示データを繰り返し表示リードさせるようにした。
【００５０】
これは以下の理由による。すなわち、ＧＲＡＭ書き込みフレームで競合調停を行うと、表示リード開始のタイミング延長分だけ表示リード期間が長くなる。
【００５１】
したがって、毎フレーム毎にＧＲＡＭの書き込みを行った場合、競合と調停が繰り返されると、表示データは競合があったラインの分だけ表示リード期間が長くなり、フレーム周波数、表示品位が低下することになる。
【００５２】
そこで本実施の形態では、ＧＲＡＭ書き込み無しで、同一の表示データを表示リードして表示させるフレームを数フレーム設けると、競合があったフレームより後の数フレームは本来の表示リード期間で読み出されるので、表示データ全体としてフレーム周波数、表示品位を通常表示のそれに近づけることができる。
【００５３】
例えば、フレーム周波数を６０Ｈｚ、ＧＲＡＭ書き込み周波数をＧＲＡＭ書き込みフレームでフレーム周波数が３０Ｈｚ程度に低下する値とし、フレーム周波数が３０Ｈｚ時に表示品位が６０Ｈｚ時の半分となる場合を考える。また、６フレームに１回ＧＲＡＭへの書き込みを行うこととする。毎フレームＧＲＡＭへの書き込みを行っていると周波数は競合調停により３０Ｈｚとなるが、６フレームに１回であると、６０Ｈｚが５フレームと３０Ｈｚが１フレームとなり、６フレームでの平均フレーム周波数は、約５５Ｈｚとなり、毎フレームＧＲＡＭ書き込み時に比べてほとんど周波数が低下しない。同様に、表示品位も６０Ｈｚ時に１とすれば３０Ｈｚでは０．５であるが、６フレーム期間の平均表示品位は約０．９となり、最小限の表示品位の低下で抑えることが出来る。
【００５４】
なお、上記処理を行った場合は、同一表示データが数フレーム連続して表示されるため、静止した対象の表示に適していると言える。一方、動く対象を表示する場合は、フレーム周波数、表示品位は低下するが、ＧＲＡＭ書き込みの割合を増やすか、毎フレーム書き込みを行うようにしてもよい。表示しようとするデータの内容に応じて、ＧＲＡＭ書き込みの割合は適宜変更できるようにしてもよい。
【００５５】
なお、先に述べているように、ＧＲＡＭ書き込みの周波数は少なくとも１ライン内で８回の競合が発生する周波数であり、また液晶表示をパネル全体に正常に行うことが可能な周波数領域であることが望ましい。
【００５６】
要するに、ＧＲＡＭへの書き込みは複数フレームに１回とし、ＧＲＡＭ書き込みの周波数領域に制限を設け、その上で１ラインあたり最大７回に制限されていた競合発生時の再駆動回数を無制限とすることにより、表示品位を保ちながら、データ異常のノイズや更新前と更新後のデータ混在表示を回避することが出来る。
【００５７】
このように、ＧＲＡＭへの液晶表示用データ書き込みと表示リードの競合が発生する可能性のあるデュアルポートＲＡＭにおいて、ＧＲＡＭへの書き込みを、毎フレーム書き込みから複数フレームに１回書き込みを行う事とし、またＧＲＡＭへの書き込み周波数を、少なくとも８回以上の競合が発生するが、液晶表示を正常に行える範囲の値とし、その上で競合ライン再駆動を少なくとも１ライン分のデータの書き込みが終わるまで回数を無制限に行う構成とすることにより、周波数低下の頻度を少なくして表示品位を保ちながら、競合発生ラインのＧＲＡＭへの書き込みが行われるまで表示リードを行わず、必ず書き込み更新された正常なデータを読み出すことが可能となる。
【００５８】
なお、上記の説明においては、液晶表示装置における例を説明したが、本発明の駆動回路は、液晶表示装置に限定されるものではなく、プラズマディスプレイや有機、無機ＥＬディスプレイのような他の表示装置において実施してもよい。また、本発明の駆動回路と表示ディスプレイとを搭載した表示装置も本発明に含まれる。
【００５９】
また、  なお、本発明にかかるプログラムは、上述した本発明の表示装置の駆動回路の機能をコンピュータにより実行させるためのプログラムであって、コンピュータと協働して動作するプログラムであってもよい。
【００６０】
また、本発明は、上述した本発明の表示装置の駆動回路の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
【００６１】
なお、本発明の上記「一部の手段」とは、それらの複数の手段の内の、幾つかの手段を意味し、あるいは、一つの手段の内の、一部の機能を意味するものである。
【００６２】
また、本発明のプログラムを記録した、コンピュータに読みとり可能な記録媒体も本発明に含まれる。
【００６３】
また、本発明のプログラムの一利用形態は、コンピュータにより読み取り可能な記録媒体に記録され、コンピュータと協働して動作する態様であっても良い。
【００６４】
また、本発明のプログラムの一利用形態は、伝送媒体中を伝送し、コンピュータにより読み取られ、コンピュータと協働して動作する態様であっても良い。
【００６５】
また、本発明のデータ構造としては、データベース、データフォーマット、データテーブル、データリスト、データの種類などを含む。
【００６６】
また、記録媒体としては、ＲＯＭ等が含まれ、伝送媒体としては、インターネット等の伝送機構、光・電波・音波等が含まれる。
【００６７】
また、上述した本発明のコンピュータは、ＣＰＵ等の純然たるハードウェアに限らず、ファームウェアや、ＯＳ、更に周辺機器を含むものであっても良い。
【００６８】
なお、以上説明した様に、本発明の構成は、ソフトウェア的に実現しても良いし、ハードウェア的に実現しても良い。
【産業上の利用可能性】
【００６９】
本発明にかかる表示装置の駆動回路、表示装置、表示装置の駆動方法は、確実にＧＲＡＭ更新後の正常なデータの液晶表示ができるという長所を有し、例えばデジタルカメラ、携帯情報端末等の情報、映像表示用のディスプレイとして有用である。
【図面の簡単な説明】
【００７０】
【図１】本発明の実施の形態の駆動回路の構成を示す図
【図２】本発明の実施の形態の駆動回路における、ＧＲＡＭへの液晶表示データ書き込みと表示リードの関係を示す図
【図３】ＧＲＡＭとしてシングルポートＲＡＭを用いた場合の書き込みと表示リードの関係を示す図
【図４】ＧＲＡＭとしてデュアルポートＲＡＭを用いた場合の書き込みと表示リードの関係を示す図
【図５】ＧＲＡＭとしてデュアルポートＲＡＭを用いた場合に、ＧＲＡＭへの書き込みと表示リードの競合が発生した場合の状態を示す図
【図６】従来の技術による競合調停駆動を行う駆動回路の構成を示す図
【図７】従来の技術による競合調停駆動を行う駆動回路による調停動作が行われた場合の、ＧＲＡＭへの書き込みと表示リードの関係を示す図
【符号の説明】
【００７１】
１１：ＧＲＡＭ
１２：表示リード回路
１３：比較回路
１４：競合制御回路
１５：ラインラッチ回路
１６：ソースライン
【図１】
2005031594.tif 000003
【図２】
2005031594.tif 000004
【図３】
2005031594.tif 000005
【図４】
2005031594.tif 000006
【図５】
2005031594.tif 000007
【図６】
2005031594.tif 000008
【図７】
2005031594.tif 000009